(57)【要約】  【課題】  両吊索材の使用長さの相違が吸収されて、昇降可動体が略水平状態に保持され安定して上下昇降される昇降装置を提供する。  【解決手段】  巻き取り機構１が内蔵された取着固定体２と、取着固定体２から垂下される対の吊索材３と、両吊索材３の下端部分に吊下支持される昇降可動体４と、を備え、前記巻き取り機構１による両吊索材３の巻き取り繰り出し動作によって昇降可動体４が上下昇降される昇降装置において、昇降可動体４に略水平な回動軸材５を回動自在に付設し、同回動軸材５の両端付近に両吊索材３の下端を結合固着して、この両吊索材３の下端部分を同回動軸材５の軸回りで相互に逆向き回りとなるよう着脱自在に巻回した。【選択図】図１
2004281377.tif 000002
【特許請求の範囲】
【請求項１】
巻き取り機構が内蔵された取着固定体と、取着固定体から垂下される対の吊索材と、両吊索材の下端部分に吊下支持される昇降可動体と、を備え、前記巻き取り機構による両吊索材の巻き取り繰り出し動作によって昇降可動体が上下昇降される昇降装置であって、昇降可動体に略水平な回動軸材を回動自在に付設し、同回動軸材の両端付近に両吊索材の下端を結合固着して、この両吊索材の下端部分を同回動軸材の軸回りで相互に逆向き回りとなるよう着脱自在に巻回してなる昇降装置。
【請求項２】
回動軸材にかかる荷重の重心を両吊索材間の中央を通る鉛直線近傍で同回動軸材より下方に位置させたことを特徴とする請求項１記載の昇降装置。
【請求項３】
昇降可動体の外郭ケース内に回動軸材を収容し、両吊索材が挿通されるガイド開口を同外郭ケースに形成し、このガイド開口を同回動軸材の軸心の鉛直上方位置近傍に配設したことを特徴とする請求項１又は２記載の昇降装置。
【請求項４】
吊索材を帯状材料で形成すると共にガイド開口をスリット状に形成し、このガイド開口の長手側の開口縁部分に同吊索材が摺接ガイドされる湾曲状面を設けたことを特徴とする請求項３記載の昇降装置。
【請求項５】
回動軸材をその軸心に沿って両側の割半片に分割形成し、両割半片間に両吊索材の下端を相反する側から挿入された形態で挟持して、両割半片を結合一体化することで、同回動軸材に両吊索材の下端を結合固着したことを特徴とする請求項１〜４のいずれか一つに記載の昇降装置。
【請求項６】
吊索材を帯状材料で形成すると共に外郭ケースに形成したガイド開口をスリット状とし、互いのガイド開口が軸心の鉛直面に沿って相反する側に配置したことを特徴とする請求項３記載の昇降装置。
【請求項７】
ガイド開口の軸心の鉛直面側の開口縁部分に吊索材が摺接ガイドされる湾曲状面を設けたことを特徴とする請求項６記載の昇降装置。
【発明の詳細な説明】
【技術分野】
【０００１】
本発明は、巻き取り機構が内蔵された取着固定体から垂下される対の吊索材の巻き取り繰り出し動作によって昇降可動体が上下昇降される昇降装置であり、例えば、高所から吊下支持される照明器具を上下昇降させる昇降装置に関するものである。
【背景技術】
【０００２】
従来、コンサートホールや体育館、コンベンションホール等の比較的天井の高い大きな構造物では、天井に装着された照明器具のメンテナンスを容易に行うために、照明器具の昇降装置が利用されている。昇降装置は、主として、照明器具が接続される昇降可動体と、昇降可動体を吊下支持する吊索材と、吊索材を介して昇降可動体を上下昇降させる巻き取り機構と、巻き取り機構を天井に固定する取着固定体と、で構成される。
【０００３】
この種の昇降装置においては、通常、昇降装置を構造物の天井等に設置する際に、同構造物の床面から天井までの距離に応じて吊索材が適当な使用長さに設定され、それにより、昇降可動体は、照明器具が使用される天井付近に上昇させた位置と、照明器具のメンテナンスを行うため床面近くに下降させた位置と、の間で昇降移動可能となる。又、昇降可動体は、上昇させた位置と下降させた位置とで各々動作停止され、その際、検知手段の検知によって、巻き取り機構による吊索材の巻き取り繰り出し動作が駆動停止される。
【０００４】
そして、この種の昇降装置としては、特開２００２−１０４７８５号公報に示される昇降装置が知られている。この昇降装置は、図１９に示す如く、巻き取り機構１が内蔵された取着固定体２と、取着固定体２から垂下される対の吊索材３と、両吊索材３の下端部分に吊下支持される昇降可動体４と、を備えており、前記巻き取り機構１による両吊索材３の巻き取り繰り出し動作によって昇降可動体４が上下昇降される。
【０００５】
この場合、図１８〜２０に示す如く、昇降可動体４は外郭ケース６内に略水平な回動軸材５を回動自在に収容してなり、同昇降可動体４の下側に照明器具（図示せず）が取着接続される。そして、両吊索材３の下端が回動軸材５の両端付近に結合固着され、同回動軸材５を回動操作することで両吊索材３はこの回動軸材５の外周に巻回され、これにより、両吊索材３の使用長さの微調整を行えるようになっている。
【０００６】
具体的には、図２０に示す如く、回動軸材５の端面に溝29、外周面に細長穴30が形成されており、まず、操作片31を溝29に係合させてこの回動軸材５を回動させることで、両吊索材３の所定量を同回動軸材５に巻回させる。そして、両吊索材３が所定の使用長さとなった状態で、操作片32（操作片31を共用）を細長穴30に挿入することにより、巻回された両吊索材３が回動軸材５から解けないように同回動軸材５の回動はロックされる。
【０００７】
したがって、この昇降装置においては、構造物の天井等に両吊索材３の使用長さを調整設定して昇降装置を施工した後に、照明器具等が取着接続された昇降可動体４の下降位置を微調整する必要が生じた場合であっても、高所で両吊索材３の長さを再度調整することなく、下降させた昇降可動体４の回動軸材５を前述のように回動操作することによって、安全且つ容易に両吊索材３の使用長さを微調整することができる。
【０００８】
【特許文献１】特開２００２−１０４７８５号公報
【発明の開示】
【発明が解決しようとする課題】
【０００９】
ところで、上記従来の技術で示した昇降装置では、両吊索材３で吊下支持される照明器具等が取着接続された昇降可動体４を、略水平状態にして上下昇降させるために、両吊索材３を略同じ長さにしておく必要がある。しかしながら、両吊索材３個々の長さのバラツキだけでなく、巻き取り機構１や昇降可動体４の回動軸材５等の各部品の寸法バラツキによっても、両吊索材３の使用長さを略等しく設定することは困難であった。したがって、この場合、両吊索材３の使用長さを両者共に微調整することができても、両吊索材３を相互に略同じ長さとすることは困難であり、そのため、照明器具等を吊下支持する昇降可動体４が傾いてしまうという問題を生じる。
【００１０】
本発明は、上記従来の技術における問題を悉く解決するために発明されたもので、その課題は、両吊索材の使用長さの相違が吸収されて、昇降可動体が略水平状態に保持され安定して上下昇降される昇降装置を提供することである。
【課題を解決するための手段】
【００１１】
請求項１に係る発明の昇降装置は、巻き取り機構が内蔵された取着固定体と、取着固定体から垂下される対の吊索材と、両吊索材の下端部分に吊下支持される昇降可動体と、を備え、前記巻き取り機構による両吊索材の巻き取り繰り出し動作によって昇降可動体が上下昇降される昇降装置であって、昇降可動体に略水平な回動軸材を回動自在に付設し、同回動軸材の両端付近に両吊索材の下端を結合固着して、この両吊索材の下端部分を同回動軸材の軸回りで相互に逆向き回りとなるよう着脱自在に巻回してなる。
【００１２】
したがって、この場合、昇降可動体に付設された略水平な回動軸材の両端付近に両吊索材の下端が結合固着され、この両吊索材の下端部分が同回動軸材の軸回りで相互に逆向き回りとなるよう着脱自在に巻回されるので、両吊索材の使用長さに相違があると、昇降可動体やこれに取着接続される照明器具等の荷重によって、短い方の吊索材には大きな張力を生じ、長い方の吊索材を巻き取る方向に回動軸材が自動的に回動する。それ故、回動軸材と共に昇降可動体やこれに取着接続される照明器具等は常に略水平状態に保持され、安定した吊姿勢でスムーズに上下昇降される。
【００１３】
請求項２に係る発明の昇降装置は、上記請求項１記載の昇降装置において、回動軸材にかかる荷重の重心を両吊索材間の中央を通る鉛直線近傍で同回動軸材より下方に位置させたことを特徴とする。
【００１４】
したがって、この場合は特に、回動軸材にかかる荷重の重心が両吊索材間の中央を通る鉛直線近傍で同回動軸材より下方に位置するので、この回動軸材にはバランス良く重力がかかり、昇降可動体やこれに取着接続される照明器具等の安定した略水平状態の吊姿勢は確保される。
【００１５】
請求項３に係る発明の昇降装置は、上記請求項１又は２記載の昇降装置において、昇降可動体の外郭ケース内に回動軸材を収容し、両吊索材が挿通されるガイド開口を同外郭ケースに形成し、このガイド開口を同回動軸材の軸心の鉛直上方位置近傍に配設したことを特徴とする。
【００１６】
したがって、この場合は特に、回動軸材及びこれに巻回される両吊索材の下端部分が昇降可動体の外郭ケース内に収容されて外観良く納まり、この外郭ケースに形成されるガイド開口を挿通されて両吊索材は同昇降可動体から支障なく導出される。しかも、ガイド開口が回動軸材の軸心の鉛直上方位置近傍に配設されるので、昇降可動体はこれに捩れ方向の力がかかることもなくバランス良く吊下支持される。
【００１７】
請求項４に係る発明の昇降装置は、上記請求項３記載の昇降装置において、吊索材を帯状材料で形成すると共にガイド開口をスリット状に形成し、このガイド開口の長手側の開口縁部分に同吊索材が摺接ガイドされる湾曲状面を設けたことを特徴とする。
【００１８】
したがって、この場合は特に、帯状材料でなる吊索材がスリット状のガイド開口を挿通されるものであり、前記の如く、ガイド開口を回動軸材の軸心の鉛直上方位置近傍に配設することで、同ガイド開口の部分で吊索材は当接屈曲されることになるが、このガイド開口の長手側の開口縁部分には湾曲状面が設けられているため、この湾曲状面に同吊索材の屈曲部分は摺接してガイドされ、回動軸材に対し吊索材がスムーズに巻き取り繰り出されて同回動軸材は滑らかに回動し、昇降可動体がよりバランス良く吊下支持される。
【００１９】
請求項５に係る発明の昇降装置は、上記請求項１〜４のいずれか一つに記載の昇降装置において、回動軸材をその軸心に沿って両側の割半片に分割形成し、両割半片間に両吊索材の下端を相反する側から挿入された形態で挟持して、両割半片を結合一体化することで、同回動軸材に両吊索材の下端を結合固着したことを特徴とする。
【００２０】
したがって、この場合は特に、両割半片間に両吊索材の下端を相反する側から挿入された形態で挟持して両割半片を結合一体化することにより、両割半片でなる回動軸材に両吊索材の下端が結合固着されるので、簡単に両吊索材の下端部分が相互に同回動軸材の軸回りで逆向きに巻回されるような結合固着状態とすることができる。
【発明の効果】
【００２１】
請求項１に係る発明においては、両吊索材の下端部分が回動軸材の軸回りで相互に逆向き回りとなるよう着脱自在に巻回され、同回動軸材の回動により、昇降可動体は略水平状態に保持されて安定した吊姿勢でスムーズに上下昇降される。
【００２２】
又、請求項２に係る発明においては、特に、回動軸材にかかる荷重の重心が両吊索材間の中央を通る鉛直線近傍で同回動軸材より下方に位置して、この回動軸材にはバランス良く重力がかかり、昇降可動体の安定した略水平状態の吊姿勢は確保される。
【００２３】
又、請求項３に係る発明においては、特に、回動軸材及びこれに巻回される両吊索材の下端部分が外観良く納まり、両吊索材はガイド開口を挿通されて昇降可動体から支障なく導出され、このガイド開口が回動軸材の軸心の鉛直上方位置近傍に配設されて、同昇降可動体はバランス良く吊下支持される。
【００２４】
又、請求項４に係る発明においては、特に、スリット状のガイド開口の開口縁部分に設けられた湾曲状面に帯状材料でなる吊索材が摺接してガイドされ、回動軸材に対し吊索材はスムーズに巻き取り繰り出されて同回動軸材が滑らかに回動し、昇降可動体はよりバランス良く吊下支持される。
【００２５】
又、請求項５に係る発明においては、特に、両割半片間に両吊索材の下端を相反する側から挿入された形態に挟持して両割半片を結合一体化することで、簡単に両吊索材の下端部分が相互に回動軸材の軸回りで逆向きに巻回されるような結合固着状態とすることができる。
【００２６】
又、請求項６に係る発明においては、特に、互いのガイド開口が軸心の鉛直面に沿って相反する側に配置したことにより、両吊索材によって吊下支持された昇降可動体にねじれの力が働かず、両吊索材と回動軸材とはほぼ平行を保つことができるものとなる。
【００２７】
又、請求項７に係る発明においては、特に、ガイド開口の軸心の鉛直面側の開口縁部分に吊索材が摺接ガイドされる湾曲状面を設けたことにより、回動軸材に対し吊索材はスムーズに巻き取り繰り出されて同回動軸材が滑らかに回動し、昇降可動体はよりバランス良く吊下支持される。
【発明を実施するための最良の形態】
【００２８】
図１〜１４は、請求項１〜５に係る発明の全てに対応した一実施形態である昇降装置を示している。この実施形態の昇降装置は、巻き取り機構１が内蔵された取着固定体２と、取着固定体２から垂下される対の吊索材３と、両吊索材３の下端部分に吊下支持される昇降可動体４と、を備えている。この場合、巻き取り機構１による両吊索材３の巻き取り繰り出し動作により、昇降可動体４が上下昇降されるものである。そして、この実施形態の昇降装置では、昇降可動体４に略水平な回動軸材５を回動自在に付設し、同回動軸材５の両端付近に両吊索材３の下端を結合固着して、この両吊索材３の下端部分を同回動軸材５の軸回りで相互に逆向き回りとなるよう着脱自在に巻回している。
【００２９】
又、この実施形態の昇降装置では、図１に示す如く、回動軸材５にかかる荷重の重心Ｇを、両吊索材３間の中央を通る鉛直線Ｌ近傍で同回動軸材５より下方に位置させている。又、図６〜１３に示す如く、昇降可動体４の外郭ケース６内に回動軸材５を収容して、両吊索材３が挿通されるガイド開口７を同外郭ケース６に形成し、この両ガイド開口７を同回動軸材５の軸心Ｃの鉛直上方位置近傍に配設している。更に、この場合、吊索材３を帯状材料で形成すると共にガイド開口７をスリット状に形成し、このガイド開口７の長手側の開口縁部分に同吊索材３が摺接ガイドされる湾曲状面８を設けてもいる。
【００３０】
又、この実施形態の昇降装置では、図１１、１２に示す如く、回動軸材５をその軸心Ｃに沿って両側の割半片９に分割形成し、両割半片９の両端付近間に両吊索材３の下端を相反する側から挿入された形態で挟持して、両割半片９を結合一体化することで、同回動軸材５に両吊索材３の下端を結合固着している。
【００３１】
以下、この実施形態の昇降装置を、より具体的に説明する。図２、３に示す如く、取着固定体２は、下方及び側方へ開口した枠形箱状の取付基体10と、この取付基体10の内部に収容固定される下方へ開口したボックス体11と、このボックス体11の上方で同取付基体10の内部に収容固定される巻き取り機構１と、を有している。この場合、巻き取り機構１は取着固定体２内から露出しているので、同巻き取り機構１のメンテナンスや両吊索材３の使用長さの初期設定等の作業を外方から容易に行うことができる。又、上昇された昇降可動体４は、ボックス体11内に嵌まり込むようコンパクトに納まり、その揺動や回動も防止されて安定状態で静止される。
【００３２】
巻き取り機構１は、両吊索材３を巻き取るために各吊索材３の一端が結合固着される対の巻取ドラム14と、両巻取ドラム14を同軸で回転させるための永久磁石及び整流ブラシを有した直流モータである電動モータ12と、この電動モータ12の駆動軸の回転を両巻取ドラム14に伝達する減速ユニット13と、を備えている。なお、この場合、減速ユニット13は複数の歯車列でなり、電動モータ12から両巻取ドラム14へと動力を伝達するが、同巻取ドラム14の回転が電動モータ12に対して逆に伝達されるのを阻止するためのセルフロック機能を有している。又、電動モータ12として交流モータを使用してもよい。
【００３３】
各巻取ドラム14に一端が結合固着された吊索材３は、滑車15を介して鉛直下方に昇降可動体４へと向かって垂下延設される。吊索材３は剛性を有する金属製の帯状材料で形成され、少なくとも二本が対にして垂設されて、その下端部分に昇降可動体４が吊下支持される。両吊索材３は両滑車15に各々上掛けされて垂下されるものであり、両滑車15は軸体16の両端付近に配設され、この軸体16を中心にして回転するものである。
【００３４】
この場合、図４、５に示す如く、軸体16はその両端部分が下側からバネ材17で支持されており、両滑車15と共に上下動し得るもので、両吊索材３の張力による衝撃が同バネ材17で緩衝される。又、両滑車15と共に上下動する軸体16の上方への移動或いは下方への移動を検知する検知手段を設けて、この検知手段の検知により前記巻き取り機構１による両吊索材３の巻き取り繰り出し動作が停止されるようになしてもよい。なお、バネ材17はバネ定数の相違するスプリングを上下に連設してなり、前記ボックス体11より上方へ突設された筒状部18内に収容保持されている。
【００３５】
取着固定体２は天井に取着固定されるものであるが、その際、天井面の下側に直付けされても吊設固定されてもよく、或いは、図３に示す如く、天井板19の上側に埋設固定されてもよい。そして、昇降可動体４の下側に照明器具20が取着接続され、巻き取り機構１による両吊索材３の巻き取り繰り出し動作によって、同昇降可動体４と共に照明器具20は上下昇降される。昇降可動体４と共に照明器具20を床面近くに下降させた状態で、この照明器具20のメンテナンス作業を安全且つ容易に行うことができ、上昇位置では、昇降可動体４がボックス体11内に収容されると共に同照明器具20は取着固定体２の内部スペースに納まる。
【００３６】
図６〜８に示す如く、昇降可動体４は略円盤形状の外郭ケース６を備え、この外郭ケース６の上部両側にスリット状のガイド開口７が配設されており、両ガイド開口７に両吊索材３の下端部分は挿通される。外郭ケース６の前記両ガイド開口７の外側には、両吊索材３に捩れを生じるのを防止するための突起21が配設されている。両突起21は両吊索材３の外側に各々隣接して上方へ突出しており、昇降可動体４の上昇位置にて、外郭ケース６が前記ボックス体11内で安定して収容保持されるようにガイドする機能をも有している。
【００３７】
図９、１０に示す如く、昇降可動体４の外郭ケース６内には、略水平な回動軸材５が回動自在に収容保持されている。この場合、外郭ケース６の相対向する内壁部分に軸受け部22が配設され、この両軸受け部22に回動軸材５の両端に突設される支持軸部23を回動自在に嵌合することで、同回動軸材５は回動自在に保持されている。回動軸材５の両端付近には両吊索材３の下端が結合固着され、この両吊索材３の下端部分は同回動軸材５の外周にその軸心Ｃ回りで相互に逆向きとなるよう着脱自在に巻回される。
【００３８】
この場合、図１１、１２に示す如く、回動軸材５はその軸心Ｃに沿って両側の割半片９に分割形成されており、両割半片９間に両吊索材３の下端が相反する方向から挿入された形態で挟持され、両割半材９を結合一体化することで、同回動軸材５に両吊索材３の下端は結合固着される。その際、ボルト24によって両割半材９は結合一体化され、割半材９の一端側には貫通孔25が、他端側にはネジ孔26が穿設されており、挿通孔25から同ボルト24を挿入してネジ孔26に螺合させるものである。
【００３９】
又、この場合、同じ割半片９を対にして長手方向で逆向きに結合一体化することにより、回動軸材５が簡単且つ安価に製作されるものである。そして、両割半片９を結合一体化する際に、両吊索材３の下端付近に穿設された止め孔27に前記ボルト24を挿通係合させることで、同両吊索材３の下端が両割半片９間に抜け外れないよう確実に挟着される。なお、回動軸材５が両割半片９に分割形成される際、その両端の支持軸部23も両分割軸片23ａ、23ｂに分割形成され、分割軸片23ａと分割軸片23ｂとを接合一体化することで同回動軸材５となる。
【００４０】
そして、図１３に示す如く、回動軸材５からガイド開口７を挿通して昇降可動体４の外部へと導出される両吊索材３は、このガイド開口７の部分で屈曲し、同回動軸材５の軸心Ｃの鉛直上方位置で相互に略一面上で並設されて、同昇降可動体４を吊下支持する。この場合、昇降可動体４の軸心Ｃ長手方向における傾きが変化すると、回動軸材５は回動するものであり、その際、両吊索材３の一方が巻き取られ他方が繰り出されるように同回動軸材５は回動する。
【００４１】
このように、回動軸材５の回動に伴い両吊索材３が巻き取られたり繰り出されたりすると、両吊索材３は前記ガイド開口７の部分で屈曲されてその開口縁部分に摺接するものである。そこで、ガイド開口７の開口縁部分に湾曲状面８を形成し、この湾曲状面８に各吊索材３が摺接するようになしている。この場合、吊索材３は湾曲状面８に滑らかに摺接し、昇降可動体４やこれに取着接続される照明器具20等の重量が同湾曲状面８上に沿い分散して、同吊索材３に局所的な力もかからず、両吊索材３の破損や劣化が防止される。
【００４２】
又、前記の如く、回動軸材５の回動に伴い両吊索材３が巻き取られたり繰り出されたりすると、両吊索材３の着脱する巻回部位や摺接する湾曲状面８等の部位には静電気を生じ易いものであり、この静電気を昇降可動体４に溜まらないよう逃がすため、図１４に示す如く、同昇降可動体４の外郭ケース６の上面部分が絶縁板28で形成されている。又、この実施形態の昇降装置では、吊索材３の下端部分を回動軸材５の軸心Ｃ回りに複数周巻回しているが、同吊索材３の下端部分は少なくとも半円周分だけ巻回されればよい。
【００４３】
したがって、この実施形態の昇降装置においては、昇降可動体４に付設された略水平な回動軸材５の両端付近に両吊索材３の下端が結合固着され、この両吊索材３の下端部分が同回動軸材５の軸回りで相互に逆向き回りとなるよう着脱自在に巻回されるので、両吊索材３の使用長さに相違があると、昇降可動体４やこれに取着接続される照明器具20等の荷重によって、短い方の吊索材３には大きな張力を生じ、この吊索材３を繰り出すと共に長い方の吊索材３を巻き取る方向に回動軸材５が自動的に回動する。
【００４４】
すなわち、昇降可動体４やこれに取着接続される照明器具20等の荷重が回動軸材５にかかると、両吊索材３の一方が巻き取られ他方が繰り出されるようにこの回動軸材５は自動的に回動し、これにより、同回動軸材５が略水平となるようにその傾きを変えて、両吊索材３の使用長さの相違は自動的に吸収される。そのため、回動軸材５と共に昇降可動体４やこれに取着接続される照明器具20等は常に略水平状態に保持され、安定した吊姿勢でスムーズに上下昇降される。
【００４５】
又、この実施形態の昇降装置においては、回動軸材５にかかる昇降可動体４や照明器具20等の荷重の重心Ｇが、両吊索材３間の中央を通る鉛直線Ｌ近傍で同回動軸材５より下方に位置しているので、この回動軸材５にはバランス良く重力がかかり、同回動軸材５はスムーズに回動され、前記昇降可動体４やこれに取着接続される照明器具20等の安定した略水平状態の吊姿勢が確保される。
【００４６】
又、この実施形態の昇降装置においては、回動軸材５及びこれに巻回される両吊索材３の下端部分が昇降可動体４の外郭ケース６内に収容されて外観良く納まり、この外郭ケース６に形成されるガイド開口７を挿通されて両吊索材３は同昇降可動体４から支障なく導出される。しかも、ガイド開口７が回動軸材５の軸心Ｃの鉛直上方位置近傍に配設されるので、昇降可動体４はこれに捩れ方向の力がかかることもなくバランス良く吊下支持される。
【００４７】
又、この場合、帯状材料でなる吊索材３がスリット状のガイド開口７を挿通されるもので、前記の如く、ガイド開口７を回動軸材５の軸心Ｃの鉛直上方位置近傍に配設することで、同ガイド開口７の部分で吊索材３は当接屈曲されることになるが、このガイド開口７の長手側の開口両縁部分には湾曲状面８が設けられているため、この湾曲状面８に同吊索材３の屈曲部分は摺接してガイドされ、回動軸材５に対し吊索材３がスムーズに巻回着脱されて同回動軸材５は滑らかに回動し、昇降可動体４がよりバランス良く吊下支持される。
【００４８】
又、この実施形態の昇降装置においては、両割半片９間に両吊索材３の下端を相反する側から挿入された形態で挟持して両割半片９を結合一体化することにより、両割半片９でなる回動軸材５に両吊索材３の下端が結合固着されるので、両吊索材３の下端部分が相互に同回動軸材５の軸回りで逆向きに巻回されるような結合固着状態、すなわち、両吊索材３が回動軸材５の両端付近でその外周の相反する側へと突出する形態とすることが容易となる。
【００４９】
図１５、図１６は、この実施の形態の応用例であり、図１５は昇降可動体を示す正面図、図１６は昇降可動体の吊下支持状態を示すもので、図１５Ａ方向からみた要部断面図である。（奥側の吊索材とガイド開口は図示せず。）このものは、両吊索材３を帯状材料で形成すると共に両ガイド開口７をスリット状に形成し、この両ガイド開口７を回動軸材５の軸心Ｃの鉛直上方位置近傍に、お互いのガイド開口７が軸心の鉛直面に対して相反する側であって軸心の鉛直面に沿うように配置したものである。そして、ガイド開口７の軸心Ｃの鉛直面側の開口縁部分に吊索材３が摺接ガイドされる湾曲状面８を設けている。このように構成された昇降可動体４は、軸心Ｃの鉛直面に沿うように設けられた両吊索材３によって吊下支持される。その他の実施の形態と同一の構成部材には同一符号を付すことにより説明を省略する。
【００５０】
このものは帯状材料で形成した吊索材３が回動軸材５より離れようとするさいに両ガイド開口７の位置によっては、昇降可動体４が回転してしまうことを防ぐものである。このものは両ガイド開口７を回動軸材５の軸心Ｃの鉛直上方位置近傍に、お互いのガイド開口７が軸心の鉛直面に対して相反する側であって軸心の鉛直面に沿うように配置し、ガイド開口７の軸心Ｃの鉛直面側の開口縁部分に吊索材３が摺接ガイドされる湾曲状面８を設けているので、軸心Ｃの鉛直面に沿うように設けられた両吊索材３がその状態で両湾曲状面８に当接するものとなる。このように昇-降可動体４を吊下支持すると両吊索材３によって吊下支持された昇降可動体４にねじれの力が働かず、両吊索材３と回動軸材５とはほぼ平行を保つことができるものとなる。
【図面の簡単な説明】
【００５１】
【図１】本発明の一実施形態である昇降装置を示す概略正面図。
【図２】同昇降装置における上昇状態を示す斜視図。
【図３】同昇降装置における昇降動作状態を示す断面図。
【図４】同昇降装置の取着固定体内部を側面側からみた断面図。
【図５】同昇降装置の取着固定体内部を正面側からみた断面図。
【図６】同昇降装置における昇降可動体の吊下支持状態を示す斜視図。
【図７】同昇降可動体を示す平面図。
【図８】同昇降可動体を示す正面図。
【図９】図８におけるＸ−Ｘ断面図。
【図１０】同昇降可動体の吊下支持状態を示す内部を透視した要部斜視図。
【図１１】同昇降可動体における回動軸材の分割状態を示す要部斜視図。
【図１２】同回動軸材の割半片を示す（ａ）は平面図、（ｂ）は側面図、（ｃ）は（ａ）におけるＹ−Ｙ断面図。
【図１３】同昇降可動体の吊下支持状態を示す側面側からみた要部断面図。
【図１４】同昇降可動体の吊下支持状態を示す概略正面図。
【図１５】同昇降装置の応用例を示す図で昇降可動体を示す正面図。
【図１６】同昇降可動体の吊下支持状態を示す側面側からみた要部断面図。
【図１７】従来例である昇降装置を示す斜視図。
【図１８】同昇降装置における昇降可動体の吊下支持状態を示す正面側からみた要部断面図。
【図１９】同昇降可動体の吊下支持状態を示す側面側からみた要部断面図。
【図２０】同昇降可動体における回動軸材の操作状態を示す要部斜視図。
【符号の説明】
【００５２】
１  巻き取り機構
２  取着固定体
３  吊索材
４  昇降可動体
５  回動軸材
６  外郭ケース
７  ガイド開口
８  湾曲状面
９  割半片
Ｇ  重心
Ｌ  鉛直線
Ｃ  軸心
【図１】
2004281377.tif 000003
【図２】
2004281377.tif 000004
【図３】
2004281377.tif 000005
【図４】
2004281377.tif 000006
【図５】
2004281377.tif 000007
【図６】
2004281377.tif 000008
【図７】
2004281377.tif 000009
【図８】
2004281377.tif 000010
【図９】
2004281377.tif 000011
【図１０】
2004281377.tif 000012
【図１１】
2004281377.tif 000013
【図１２】
2004281377.tif 000014
【図１３】
2004281377.tif 000015
【図１４】
2004281377.tif 000016
【図１５】
2004281377.tif 000017
【図１６】
2004281377.tif 000018
【図１７】
2004281377.tif 000019
【図１８】
2004281377.tif 000020
【図１９】
2004281377.tif 000021
【図２０】
2004281377.tif 000022